(57)【特許請求の範囲】
【請求項１】
１枚の紙板から組み立てられ、互いに対向する第１側面および第２側面と、前記第１側面の上端に連なる第１の内フラップと、前記第２側面の上端に連なる第２の内フラップと、を備えた収納箱であって、
前記第１の内フラップと第２の内フラップは、互いに対向するように配置されており、
前記第１の内フラップおよび前記第２の内フラップには、それぞれ、前記第１の内フラップおよび前記第２の内フラップの上方に物品を収納可能な収納部が形成され、
前記収納部は、下方から前記物品を支持する複数の支持部を有し、
前記複数の支持部は、前記第１の内フラップおよび前記第２の内フラップのそれぞれに複数の切れ目を設けることで形成されており、
前記複数の支持部のそれぞれは、第１方向に延び、
前記複数の支持部は、前記第１方向と交差する第２方向に並んでいることを特徴とする収納箱。
【請求項２】
前記第１の内フラップにおいて、前記複数の切れ目のそれぞれは、前記第２方向に対して、前記第１の内フラップの前記第２方向の端部からの距離が変化しながら、前記第１方向に延びている波形状であり、
前記第２の内フラップにおいて、前記複数の切れ目のそれぞれは、前記第２方向に対して、前記第２の内フラップの前記第２方向の端部からの距離が変化しながら、前記第１方向に延びている波形状であることを特徴する請求項１記載の収納箱。
【請求項３】
前記複数の支持部のそれぞれには、前記第２方向に沿った折り目が形成されていることを特徴とする請求項１又は２に記載の収納箱。
【請求項４】
前記複数の支持部は、
第１支持部と、
前記第２方向において前記第１支持部と隣り合う第２支持部と、
を含み、
前記第１支持部に形成された前記折り目と、前記第２支持部に形成された前記折り目と、は、前記第２方向において並んでいないことを特徴とする請求項３記載の収納箱。
【請求項５】
前記複数の支持部は、
第１支持部と、
前記第１支持部よりも前記第１方向における長さが短い第３支持部と、
を含み、
前記第３支持部は、前記複数の支持部のうち前記第２方向の端に位置することを特徴とする請求項１〜４のいずれか１つに記載の収納箱。
【請求項６】
前記第１の内フラップおよび前記第２の内フラップには、それぞれ、前記複数の支持部から前記第１の内フラップおよび前記第２の内フラップの外側に向けて前記第２方向に沿う第１折り目が形成され、
前記第１の内フラップの先端部および前記第２の内フラップの先端部は、前記第１折り目において、下方に向けて折り込まれることを特徴とする請求項１〜５のいずれか１つに記載の収納箱。
【請求項７】
前記収納部の下方に設けられる底面をさらに備え、
前記第１の内フラップの前記先端部および前記第２の内フラップの前記先端部は、前記底面に接触し、
前記物品は、前記底面と離間して前記収納部に収納されることを特徴とする請求項６記載の収納箱。
【請求項８】
前記底面は、第１係合部を有し、
前記第１の内フラップおよび前記第２の内フラップのそれぞれは、前記先端部に第２係合部を有し、
前記第１係合部は、前記第２係合部と係合されることを特徴とする請求項７記載の収納箱。
【請求項９】
前記底面は矩形状であって、前後および左右方向にそれぞれ対向する２枚の底板から構成されており、
前記底面は、内側上方に向かって盛り上がっており、
前記第１の内フラップの前記先端部および前記第２の内フラップの前記先端部は、対向する一対の前記底板の間に形成された隙間に、折り込まれていることを特徴とする請求項７記載の収納箱。
【請求項１０】
前記収納箱の内側面に沿ったガイド片をさらに備え、
前記ガイド片は、前記第１の内フラップおよび前記第２の内フラップと接触して、前記第１の内フラップおよび前記第２の内フラップを前記隙間に導くガイド孔を有することを特徴とする請求項９記載の収納箱。
【請求項１１】
前記第１の内フラップの前記先端部と前記第２の内フラップの前記先端部は、互いに接することを特徴とする請求項６〜１０のいずれか１つに記載の収納箱。
【請求項１２】
前記収納部に収納された前記物品を上方から覆う天面をさらに備えたことを特徴とする請求項６〜１１のいずれか１つに記載の収納箱。
【請求項１３】
前記物品は、衛生洗浄装置に設けられる部品であることを特徴とする請求項１〜１２のいずれか１つに記載の収納箱。
【請求項１４】
１枚の紙板から構成され、互いに対向する第１側面および第２側面を含む複数の側面と、前記第１側面の上端に連なる第１の内フラップと、前記第２側面の上端に連なる第２の内フラップと、を有する箱部材であって、
前記第１の内フラップと第２の内フラップは、互いに対向するように配置され、
前記第１の内フラップおよび前記第２の内フラップには、それぞれ、前記複数の側面を互いに対向させて組み立て前記複数の側面の内側に前記第１の内フラップおよび前記第２の内フラップが折り込まれた際に、前記第１の内フラップおよび前記第２の内フラップの上方に物品を収納可能な収納部が形成され、
前記収納部は、下方から前記物品を支持可能な複数の支持部を有し、
前記複数の支持部は、前記第１の内フラップおよび前記第２の内フラップのそれぞれに複数の切れ目を設けることで形成されており、
前記複数の支持部のそれぞれは、第１方向に延び、
前記複数の支持部は、前記第１方向と交差する第２方向に並んでいることを特徴とする箱部材。
【発明の詳細な説明】
【技術分野】
【０００１】
本発明の態様は、一般的に、収納箱および箱部材に関する。
【背景技術】
【０００２】
従来、補修部品などの比較的小型の物品を包装する際に、緩衝材、内装箱、および外装箱を用いる技術が知られている。この技術では、まず、物品をエアーキャップ（登録商標）などの緩衝機能を備える緩衝材で包んでから内装箱に入れ、その後、内装箱を外装箱に収納していた。
【０００３】
しかし、この技術では、物品を包装するための部材の点数が多いことや、各部材で物品を包装するための作業工数が多いことなどの課題があり、改善が求められている。その改善の一つとして、特許文献１に開示されたように、紙箱に切り込みを設けて、紙箱にクッション部を形成する技術が知られている。
【先行技術文献】
【特許文献】
【０００４】
【特許文献１】特開２００４−３０７０６３号公報
【発明の概要】
【発明が解決しようとする課題】
【０００５】
しかしながら、特許文献１に開示の技術では、紙箱の上面に切目を設けているため、紙箱の上に載置された部品を搬送する際には、当該紙箱を外装箱に収納する必要がある。このため、部品点数の削減や作業工程の削減の点で、まだ改善の余地があった。
本発明は、かかる課題の認識に基づいてなされたものであり、部品点数の削減および作業工程の削減が可能な収納箱および箱部材を提供することを目的とする。
【課題を解決するための手段】
【０００６】
第１の発明は、１枚の紙板から組み立てられ、互いに対向する第１側面および第２側面と、前記第１側面の上端に連なる第１の内フラップと、前記第２側面の上端に連なる第２の内フラップと、を備えた収納箱であって、前記第１の内フラップと第２の内フラップは、互いに対向するように配置されており、前記第１の内フラップおよび前記第２の内フラップには、それぞれ、前記第１の内フラップおよび前記第２の内フラップの上方に物品を収納可能な収納部が形成され、前記収納部は、下方から前記物品を支持する複数の支持部を有し、前記複数の支持部は、前記第１の内フラップおよび前記第２の内フラップのそれぞれに複数の切れ目を設けることで形成されており、前記複数の支持部のそれぞれは、第１方向に延び、前記複数の支持部は、前記第１方向と交差する第２方向に並んでいることを特徴とする収納箱である。
【０００７】
この収納箱によれば、内装箱が不要であり、かつ収納部を有する収納箱が１枚の紙板から組み立てられるため、部品点数の削減および作業工数の削減が可能である。
また、この収納箱によれば、物品を支持部に押し込むことで、支持部が物品の大きさや形状に倣って変形する。大きさや形状が異なる種々の物品を、緩衝機能を持たせつつ収納することが可能である。また、この収納箱によれば、支持部は、第１の内フラップおよび第２の内フラップに切れ目を設けることで形成されており、簡易な構造で収納部に緩衝機能を持たせることができる。
【００１０】
第２の発明は、第１の発明において、前記第１の内フラップにおいて、前記複数の切れ目のそれぞれは、前記第２方向に対して、前記第１の内フラップの前記第２方向の端部からの距離が変化しながら、前記第１方向に延びている波形状であり、前記第２の内フラップにおいて、前記複数の切れ目のそれぞれは、前記第２方向に対して、前記第２の内フラップの前記第２方向の端部からの距離が変化しながら、前記第１方向に延びている波形状であることを特徴する収納箱である。
【００１１】
この収納箱によれば、第１の内フラップおよび第２の内フラップにおいて、切り目は、第２方向に対して、それぞれの内フラップの第２方向の端部からの距離が変化しながら、第１方向に延びている波形状であるので、それぞれの支持部の端部の形状は、波形状に形成され、第２方向に並んでいる。そのため、物品を下方から支持している支持部の１つ外側の支持部の端部の波形状のいずれかが、物品の端部に当接するので、物品に緩衝機能を持たせつつ、より安定して収納することが可能である。
【００１２】
第３の発明は、第１または２の発明において、前記複数の支持部のそれぞれには、前記第２方向に沿った折り目が形成されていることを特徴とする収納箱である。
【００１３】
この収納箱によれば、物品を支持部に押し込んだ際に、支持部が、より物品の形に倣って変形し易くなる。このため、物品の移動を抑制し、物品に対する緩衝性能を高めることが可能である。
【００１４】
第４の発明は、第３の発明において、前記複数の支持部は、第１支持部と、前記第２方
向において前記第１支持部と隣り合う第２支持部と、を含み、前記第１支持部に形成され
た前記折り目と、前記第２支持部に形成された前記折り目と、は、前記第２方向において
並んでいないことを特徴とする収納箱である。
【００１５】
この収納箱によれば、物品を支持部に押し込んだ際に、いずれかの支持部が、物品の左右側面に近接して位置し易くなる。このため、物品の左右方向における移動をより一層抑制し、物品に対する緩衝性能をさらに高めることが可能である。
【００１６】
第５の発明は、第１〜第４のいずれかの発明において、前記複数の支持部は、第１支持
部と、前記第１支持部よりも前記第１方向における長さが短い第３支持部と、を含み、前
記第３支持部は、前記複数の支持部のうち前記第２方向の端に位置することを特徴とする
収納箱である。
【００１７】
この収納箱によれば、一方向の長さが他方向の長さよりも長い物品を収納した際に、物品の移動を抑制し、当該物品に対する緩衝性能を高めることが可能である。
【００１８】
第６の発明は、第１〜第５のいずれかの発明において、前記第１の内フラップおよび前記第２の内フラップには、それぞれ、前記複数の支持部から前記第１の内フラップおよび前記第２の内フラップの外側に向けて前記第２方向に沿う第１折り目が形成され、前記第１の内フラップの先端部および前記第２の内フラップの先端部は、前記第１折り目において、下方に向けて折り込まれることを特徴とする収納箱である。
【００１９】
この収納箱によれば、収納部の支持部を、上方に向けて凸の状態から下方に向けて凸となるように変形させることができる。このため、これらの支持部に対して物品を押し込んで収納することができ、物品に対する緩衝性能を高めることができる。
【００２０】
第７の発明は、第６の発明において、前記収納部の下方に設けられる底面をさらに備え、前記第１の内フラップの前記先端部および前記第２の内フラップの前記先端部は、前記底面に接触し、前記物品は、前記底面と離間して前記収納部に収納されることを特徴とする収納箱である。
【００２１】
この収納箱によれば、物品の下方における緩衝距離が得られ、下方からの衝撃に対する緩衝性能を高めることができる。
【００２２】
第８の発明は、第７の発明において、前記底面は、第１係合部を有し、前記第１の内フラップおよび前記第２の内フラップのそれぞれは、前記先端部に第２係合部を有し、前記第１係合部は、前記第２係合部と係合されることを特徴とする収納箱である。
【００２３】
この収納箱によれば、物品を収納した際や衝撃が加えられた際の第１の内フラップおよび第２の内フラップの先端部のずれが抑制され、物品をより安定して収納することができる。
【００２４】
第９の発明は、第７の発明において、前記底面は矩形状であって、前後および左右方向にそれぞれ対向する２枚の底板から構成されており、前記底面は、内側上方に向かって盛り上がっており、前記第１の内フラップの前記先端部および前記第２の内フラップの前記先端部は、対向する一対の前記底板の間に形成された隙間に、折り込まれていることを特徴とする収納箱である。
【００２５】
この収納箱によれば、第１の内フラップおよび第２の内フラップの先端部が隙間に折り込まれているので、第１の内フラップおよび第２の内フラップを隙間に差込むだけで支持することができ、組み立て時の作業性が向上する。
また、隙間に挿入された第１の内フラップおよび第２の内フラップは、自身の弾性力により、上方に浮き上がろうとするが、上方に浮き上が際に、第１の内フラップおよび第２の内フラップが隙間を形成する底板に接触するので、第１の内フラップおよび第２の内フラップが上方に浮き上がることを抑制することが可能となる。
【００２６】
第１０の発明は、第９の発明において、前記収納箱の内側面に沿ったガイド片をさらに備え、前記ガイド片は、前記第１の内フラップおよび前記第２の内フラップと接触して、前記第１の内フラップおよび前記第２の内フラップを前記隙間に導くガイド孔を有することを特徴とする収納箱である。
【００２７】
この収納箱によれば、ガイド孔が第１の内フラップおよび第２の内フラップと接触して、第１の内フラップおよび第２の内フラップを隙間に導くので、第１の内フラップおよび第２の内フラップを隙間に円滑に折り込むことができ、組み立てを簡単に行うことが可能になり、作業性が向上する。
また、物品を収納した際や衝撃が加えられた際に、第１の内フラップおよび第２の内フラップがガイド孔の縁に接触することで、第１の内フラップおよび第２の内フラップの左右方向へのずれが抑制され、物品をより安定して収納することができる。
【００２８】
第１１の発明は、第６〜第１０のいずれかの発明において、前記第１の内フラップの前記先端部と前記第２の内フラップの前記先端部は、互いに接することを特徴とする収納箱である。
第１２の発明は、第６〜第１１のいずれかの発明において、前記収納部に収納された前記物品を上方から覆う天面をさらに備えたことを特徴とする収納箱である。
【００２９】
第１２の発明に係る収納箱によれば、上方からの衝撃に対する緩衝性能を高めることができる。
【００３０】
第１３の発明は、第１〜第１２の発明において、前記物品は、衛生洗浄装置に設けられる部品であることを特徴とする収納箱である。
【００３１】
この収納箱によれば、衛生洗浄装置のそれぞれの部品ごとに、大きさや形状に合わせた収納箱を用意する必要がなくなるとともに、内装箱や緩衝材が不要となるため、部品点数および作業工数の削減が可能となる。
【００３２】
第１４の発明は、１枚の紙板から構成され、互いに対向する第１側面および第２側面を含む複数の側面と、前記第１側面の上端に連なる第１の内フラップと、前記第２側面の上端に連なる第２の内フラップと、を有する箱部材であって、前記第１の内フラップと第２の内フラップは、互いに対向するように配置され、前記第１の内フラップおよび前記第２の内フラップには、それぞれ、前記複数の側面を互いに対向させて組み立て前記複数の側面の内側に前記第１の内フラップおよび前記第２の内フラップが折り込まれた際に、前記第１の内フラップおよび前記第２の内フラップの上方に物品を収納可能な収納部が形成され、前記収納部は、下方から前記物品を支持可能な複数の支持部を有し、前記複数の支持部は、前記第１の内フラップおよび前記第２の内フラップのそれぞれに複数の切れ目を設けることで形成されており、前記複数の支持部のそれぞれは、第１方向に延び、前記複数の支持部は、前記第１方向と交差する第２方向に並んでいることを特徴とする箱部材である。
【００３３】
この箱部材によれば、第１の内フラップおよび第２の内フラップに収納部を有する収納箱を組み立てることができ、内装箱や緩衝材を用意する必要が無い。このため、部品点数の削減および作業工数の削減が可能である。
【発明の効果】
【００３４】
本発明の態様によれば、部品点数の削減および作業工程の削減が可能な収納箱および箱部材が提供される。
【図面の簡単な説明】
【００３５】
【図１】第１の実施形態に係る収納箱の展開図である。
【図２】図１の内フラップを拡大した部分拡大図である。
【図３】第１の実施形態に係る収納箱の組み立て手順を表す斜視図である。
【図４】第１の実施形態に係る収納箱の組み立て手順を表す斜視図である。
【図５】第１の実施形態に係る収納箱の組み立て手順を表す斜視図である。
【図６】第１の実施形態に係る収納箱に物品を収納した状態を表す斜視図である。
【図７】第１の実施形態に係る収納箱に物品を収納した状態を表す斜視図である。
【図８】第１の実施形態に係る収納箱の組み立て手順を表す斜視図である。
【図９】第１の実施形態に係る箱部材の内フラップに物品が収納された状態を表す平    面図である。
【図１０】第１の実施形態の変形例に係る収納箱を表す斜視図である。
【図１１】第２の実施形態に係る収納箱の展開図である。
【図１２】図１１の内フラップを拡大した部分拡大図である。
【図１３】第２の実施形態に係る収納箱の組み立て手順を表す斜視図である。
【図１４】第２の実施形態に係る収納箱の組み立て手順を表す斜視図である。
【図１５】第２の実施形態に係る収納箱の組み立て手順を表す斜視図である。
【図１６】第２の実施形態に係る収納箱の組み立て完成時の状態表す下方視斜視図で    ある。
【図１７】図１５において天面を閉めた状態の前方視における断面図である。
【発明を実施するための形態】
【００３６】
以下、本発明の第１の実施形態について図面を参照しつつ説明する。なお、各図面中、同様の構成要素には同一の符号を付して詳細な説明は適宜省略する。
【００３７】
図１は、第１の実施形態に係る収納箱１００の展開図である。
なお、図１において、破線は折り目を表す。
第１の実施形態に係る収納箱１００は、図１に表される箱部材１を組み立てることで作製される。箱部材１は、１枚の紙板（例えば、段ボール）から構成されている。
【００３８】
図１に表すように、箱部材１は、側面１１〜１４、固着片１５、内フラップ２０、天面２１、内フラップ２２、係止片２３、補助底面３０、底面３１、補助底面３２、および係止片３３を有する。
【００３９】
以降の第１の実施形態の説明では、方向を表すために、「上方」、「下方」、「左側方」、「右側方」、「前方」、および「後方」を用いる。「上方」は、第１の実施形態に係る収納箱が組み立てられた状態において、底面３１に対して天面２１が設けられた方向を表し、「下方」は、「上方」と反対の方向を表す。「左側方」は、第１の実施形態に係る収納箱が組み立てられた状態において、内フラップ２０に対して内フラップ２２が設けられた方向を表し、「右側方」は、「左側方」と反対の方向を表す。また、「前方」は、第１の実施形態に係る収納箱が組み立てられた状態において、係止片２３に対して天面２１が設けられた方向を表し、「後方」は、「前方」と反対の方向を表す。
【００４０】
側面１１〜１４は、折り目Ａ〜Ｃを介して連なって設けられている。固着片１５は、側面１４の側面１３と反対の側に、折り目Ｄを介して側面１４に連設されている。固着片１５は、側面１１と固着される切片１５ａと、内フラップ２０と固着される切片１５ｂと、補助底面３０と固着される切片１５ｃと、を有する。固着片１５が有する各切片は、例えば接着剤やホチキス等を用いて固着される。
【００４１】
内フラップ２０、天面２１、内フラップ２２、および係止片２３のそれぞれは、側面１１〜側面１４の各々の上端に、折り目Ｅ〜Ｈを介して連設されている。
補助底面３０、底面３１、補助底面３２、および係止片３３のそれぞれは、側面１１〜側面１４の各々の下端に、折り目Ｉ〜Ｌを介して連設されている。
【００４２】
天面２１の側面１２と反対側の端部には、折り目Ｍを介して差込部２５が設けられている。係止片２３には、差込部２５を差し込めるように、孔２６が形成されている。
同様に、底面３１の側面１２と反対側の端部には、折り目Ｎを介して差込部３５が設けられている。係止片３３には、差込部３５を差し込めるように孔３６が形成されている。
【００４３】
内フラップ２０には、折り目Ｅと平行に、折り目ＯおよびＰが形成されている。内フラップ２０の中央には、折り目Ｐに跨る収納部５０ａが形成されている。
内フラップ２２には、折り目Ｇと平行に折り目ＱおよびＲが形成されている。内フラップ２２の中央には、折り目Ｒに跨る収納部５０ｂが形成されている。
【００４４】
内フラップ２０の先端部（側面１１と反対側の端部）および内フラップ２２の先端部（側面１３と反対側の端部）には、それぞれ係合部２７および２８が設けられている。
補助底面３２の先端部（側面１１と反対側の端部）には、折り目Ｓを介して係合部３７が設けられ、係合部２７および２８と係合可能に構成されている。後述するように、係合部２７および２８は、係合部３７と係合し、内フラップ２０および２２が補助底面３２によって支持される。
【００４５】
係合部２７、２８、および３７は、例えば、内フラップ２０、内フラップ２２、および補助底面３２に形成された切欠きである。係合部３７に形成された切欠きは、係合部２７および２８に形成された切欠きと異なる方向に切り取られている。これにより、係合部２７および２８と、係合部３７と、を係合させた際の不安定さ（ぐらつき）を低減することができる。
【００４６】
なお、係合部２７および２８と、係合部３７と、が互いに係合可能に構成されていれば、これらの係合部の具体的な形状は適宜変更可能である。また、ここでは、補助底面３２に係合部３７が設けられている場合について説明したが、箱部材１が補助底面３０および３２を有しておらず、底面３１に係合部３７が設けられていてもよい。
【００４７】
次に、図２を用いて、内フラップ２０および２２に形成された収納部５０ａおよび５０ｂについて説明する。
図２は、図１の内フラップ２０および２２を拡大した部分拡大図である。
なお、図２では、図１と同様に、折り目を破線で表している。
【００４８】
図２（ａ）に表すように、収納部５０ａは、内フラップ２０の外縁から離間した位置に形成され、支持部５１〜５７を有する。収納部５０ａの上方に物品を収納する際、これらの支持部５１〜５７によって物品が下方から支持される。
【００４９】
それぞれの支持部は、内フラップ２０の側面１１側の端部から反対側の端部に向かう第１方向Ｄ１に延びている。また、支持部５１〜５７は、内フラップ２０の面内方向に平行であり、かつ第１方向Ｄ１と交差する第２方向Ｄ２に並んでいる。
【００５０】
支持部５１〜５７は、内フラップ２０に切れ目Ｃ１〜Ｃ７を設けることで形成されている。切れ目Ｃ１〜Ｃ７のうち、第２方向Ｄ２において端に位置する切れ目Ｃ７は、他の切れ目Ｃ１〜Ｃ６よりも、第１方向Ｄ１における長さが短い。このため支持部５７の第１方向Ｄ１における長さは、支持部５１〜５６の第１方向Ｄ１における長さよりも短くなっている。
【００５１】
図２に表す例に限らず、収納部５０ａには、支持部５７と同じ長さの支持部が複数設けられていてもよい。あるいは、収納部５０ａには、支持部５７よりも第１方向Ｄ１における長さが短い他の支持部が、さらに設けられていてもよい。
また、図２に表す例では、第２方向Ｄ２に並べられた複数の支持部の一方の側にのみ、短い支持部５７が設けられているが、第２方向Ｄ２の両側に短い支持部が設けられていてもよい。
【００５２】
支持部５１〜５７には、第２方向Ｄ２に沿って折り目が形成されている。一例として、これらの折り目は、隣り合う支持部の間で第２方向Ｄ２において並ばないように、互い違いに形成されている。
【００５３】
支持部５１〜５６が形成された領域の四隅には、一端が切れ目Ｃ１およびＣ６と連なり、他端が収納部５０ａの外側に向けて湾曲した、切れ目Ｃ１０〜Ｃ１３が形成されている。切れ目Ｃ１０〜Ｃ１３は、例えば、それぞれの他端が切れ目Ｃ１およびＣ６と平行となるように、１８０度湾曲している。
【００５４】
内フラップ２２の構造は、例えば図２（ｂ）に表すように、第１方向Ｄ１に延びる線分を軸として、内フラップ２０の構造と対称である。従って、内フラップ２２の収納部５０ｂは、内フラップ２０の収納部５０ａと同様に、支持部５１〜５７、切れ目Ｃ１〜Ｃ７、および切れ目Ｃ１０〜Ｃ１３を有する。
【００５５】
なお、収納箱１００に収納される物品の形状に合わせて、収納部５０ａと５０ｂの構造を互いに異ならせることも可能である。例えば、収納部５０ａと５０ｂとの間で、支持部の数や形状、支持部の長さ、支持部の幅、支持部に形成された折り目の数や位置などが異なっていてもよい。
【００５６】
次に、図３〜図８を用いて、収納箱１００の組み立て手順および収納箱１００への物品の収納手順について説明する。
図３〜図５および図８は、第１の実施形態に係る収納箱１００の組み立て手順を表す斜視図である。
図６および図７は、第１の実施形態に係る収納箱１００に物品を収納した状態を表す斜視図である。
【００５７】
まず、図１に表す箱部材１に対して、固着片１５の切片１５ａ〜１５ｃを、側面１１、内フラップ２０、および補助底面３０に張り合わせる。これにより、側面１１と１３とが対向し、側面１２と１４とが対向する。
【００５８】
次に、補助底面３０および３２を、側面１１〜１４の内側に折り込む。このとき、係合部３７を上方に向けて折り曲げる。続いて、係止片３３を内側に折り込み、係止片３３の孔３６に、底面３１の差込部３５を差し込む。このときの様子を、図３に表す。
【００５９】
次に、内フラップ２２を内側に折り込む。続いて、図４に表すように、内フラップ２２の先端部を、収納部５０ｂの前後に形成された折り目Ｒにおいて下方に向けて折り込み、内フラップ２２の係合部２８を、補助底面３２の係合部３７に係合させる。
【００６０】
次に、内フラップ２０を内側に折り込む。続いて、図５に表すように、表す内フラップ２０の先端部を、収納部５０ａの前後に形成された折り目Ｐにおいて下方に向けて折り込み、内フラップ２０の係合部２７を、係合部３７に係合させる。
【００６１】
このように、収納部５０ａおよび５０ｂの前後に形成された折り目ＰおよびＲにおいて内フラップ２０および２２の先端部を下方に向けて折り込むことで、それぞれの収納部の支持部５１〜５７を、上方に向けて凸の状態から、下方に向けて凸となるように変形させることができるようになる。こうすることで、後述するように、これらの支持部５１〜５７に対して物品を押し込んで収納することができ、物品に対する緩衝性能を高めることができる。
【００６２】
また、内フラップ２０および２２の先端部が、補助底面３２に接触することで、内フラップ２０および２２が下方から支持され、物品が補助底面３２から離間して収納される。このため、物品の下方における上下方向の緩衝距離が得られ、下方からの衝撃に対する緩衝性能を高めることができる。
さらに、係合部２７、２８、および３７が係合することで、物品を収納した際や衝撃が加えられた際の、内フラップ２０および２２の先端部の左右方向へのずれが抑制され、物品をより安定して収納することができる。
【００６３】
次に、図６に表すように、内フラップ２０の収納部５０ａおよび内フラップ２２の収納部５０ｂの上に物品Ｓ１を収納する。このとき、物品Ｓ１を収納部５０ａおよび５０ｂの支持部５１〜５７に向けて押し込むことで、物品Ｓ１の形状に合わせて各支持部が変形する。より具体的には、物品Ｓ１と接触して下方に向けて押し込まれた支持部は、その少なくとも一部が、下方に向けて凸状に変形し、押し込まれなかった支持部は、上方に向けて凸状のままとなる。
【００６４】
その結果、下方に向けて凸状に変形した支持部は、物品Ｓ１を下方から支持するとともに、物品Ｓ１の左右方向の移動を抑制する。また、物品Ｓ１によって押し込まれなかった支持部は、物品の前後方向における移動を抑制する。
【００６５】
なお、物品Ｓ１の大きさや形状によっては、全ての支持部が物品によって押し込まれ、下方に向けて凸状に変形する。その場合は、支持部５１〜５７の全てによって物品Ｓ１が下方から支持され、内フラップ２０および２２の切れ目Ｃ１およびＣ７が形成された部分によって物品Ｓ１の前後方向の移動が抑制される。
【００６６】
また、収納部５０ａおよび５０ｂの周りの内フラップ２０および２２によって、物品が側面１１〜１４から離間され、物品Ｓ１に対する衝撃を緩和する緩衝距離が得られる。
【００６７】
このように、物品Ｓ１の前後左右方向における移動が抑制され、緩衝距離が設けられることで、収納箱１００が揺さぶられた際に物品Ｓ１に加わる衝撃を緩和し、物品Ｓ１が破損する可能性を低減することができる。
【００６８】
収納部５０に収納される物品の大きさや形状は任意である。物品の大きさおよび形状に合わせて、支持部５１〜５７の少なくとも一部が、それぞれの支持部に形成された折り目で折れ曲がるためである。
【００６９】
また、収納部５０ａおよび５０ｂには、複数の物品が収納されてもよい。図７は、収納部５０ａおよび５０ｂに、物品Ｓ２およびＳ３が収納された際の様子を表している。この場合、一部の支持部が変形せずに物品Ｓ２とＳ３との間を仕切った状態となる。これにより、それぞれの物品の前後方向の移動が抑制され、物品同士の接触を防ぐことができる。
【００７０】
収納部５０に物品を収納した後は、係止片２３を内側に折り込み、天面２１を内側に折り込む。このとき、天面２１の差込部２５を、係止片２３の孔２６に差し込むことで、図８に表すように、物品が収納された収納箱１００が組み立てられる。物品が天面２１によって上方から覆われることで、上方からの衝撃に対する緩衝性能を高めることができる。
【００７１】
ここで、第１の実施形態による作用および効果について説明する。
第１の実施形態に係る収納箱１００では、内フラップ２０に収納部５０ａが形成され、内フラップ２２に収納部５０ｂが形成されている。このような構造によれば、内フラップ２０および２２の上方に物品を収納できるようため、物品の収納にエアキャップ（登録商標）などの緩衝材や内装箱を用いる必要がない。また、収納箱１００は、１枚の紙板から組み立てられるため、部品点数も少なく、その組み立ても容易である。
【００７２】
以上の通り、第１の実施形態によれば、内装箱が不要であり、かつ収納部を有する収納箱が１枚の紙板から組み立てられるため、部品点数の削減および作業工数の削減が可能となる。
【００７３】
また、第１の実施形態に係る収納箱１００は、収納部５０ａおよび５０ｂが、複数の支持部５１〜５７を有する。そして、図６および図７に表したように、物品を収納する際には、物品をこれらの支持部に押し込むことで、支持部が物品の大きさや形状に倣って変形する。このため、第１の実施形態に係る収納箱１００は、大きさや形状が異なる種々の物品を、緩衝機能を持たせつつ収納することが可能である。
【００７４】
支持部５１〜５７は、内フラップ２０および２２に切れ目Ｃ１〜Ｃ７を設けることで形成されている。このため、収納部５０ａおよび５０ｂに支持部５１〜５７を設けるための他の部材等が必要なく、簡易な構造で収納部５０ａおよび５０ｂに緩衝機能を持たせることが可能となる。
【００７５】
支持部５１〜５７には、図２に表すように、第２方向Ｄ２に沿って折り目が形成されていることが望ましい。このような折り目が形成されていることで、物品を支持部に押し込んだ際に、支持部が、より物品の形に倣って変形し易くなる。このため、物品の左右方向における移動を抑制し、物品に対する緩衝性能を高めることが可能となる。
【００７６】
このとき、少なくともいずれかの隣り合う１組の支持部の折り目が、第２方向Ｄ２において並んでおらず、第１方向Ｄ１にずれていることが望ましい。こうすることで、物品を支持部に押し込んだ際に、いずれかの支持部が、物品の左右側面に近接して位置し易くなる。従って、物品の左右方向における移動をより一層抑制し、物品に対する緩衝性能をさらに高めることが可能となる。
【００７７】
第１の実施形態に係る収納箱１００は、例えば、トイレ装置の衛生洗浄装置に設けられる部品を収納する際に用いられる。局部洗浄ノズルや暖房機器、各種センサなどを有する衛生洗浄装置を備えたトイレ装置を補修する際には、作業現場に衛生洗浄装置の部品が搬送される場合がある。このような場合、第１の実施形態に係る収納箱１００を用いることで、部品ごとに、それぞれの大きさや形状に合わせた収納箱を用意する必要がなくなるとともに、内装箱や緩衝材が不要となり、部品点数および作業工数の削減が可能となる。
【００７８】
また、第１の実施形態に係る収納箱１００において、支持部５７のように、他の支持部５１〜５６よりも第１方向Ｄ１における長さが短い支持部が設けられていることが望ましい。
【００７９】
この点について、図９を用いて説明する。
図９は、第１の実施形態に係る収納箱１００の内フラップ２０および２２に物品が収納された状態を表す平面図である。
図９では、平面視において矩形状の物品Ｓ４を収納した際の様子を表している。
なお、図９では、収納箱１００の内フラップ２０および２２以外の構成要素が省略されている。
【００８０】
図９に表すように、矩形状の物品Ｓ４を収納した際、短辺方向を左右方向（第１方向Ｄ１）に向け、長辺方向を前後方向（第２方向Ｄ２）に向けて収納する。こうすることで、物品Ｓ４の短辺方向の端部が、収納部５０ａの支持部５７の右端および収納部５０ｂの支持部５７の左端によって支持される。また、物品の長辺方向の端部が、切れ目Ｃ１およびＣ７に当接し、内フラップ２０および２２によって支持される。
【００８１】
すなわち、他の支持部よりも短い支持部５７を設けることで、一方向の長さが他方向の長さよりも長い物品を収納した際に、当該物品の左右方向における移動を抑制し、当該物品に対する緩衝性能を高めることが可能となる。
【００８２】
収納箱１００は、例えば、段ボールからなる箱部材１から組み立てられる。箱部材１に段ボールが用いられる場合、内フラップ２０および２２において、段ボールの目方向（中芯とライナーとの間の中空が延びている方向）は、第１方向Ｄ１に沿うことが望ましい。
換言すると、段ボールの目方向と、支持部５１〜５７の延在方向と、が平行であることが望ましい。
【００８３】
支持部５１〜５７が、目方向と交差する方向に延び、それぞれの支持部５１〜５７に多数の目が含まれていると、支持部５１〜５７における強度が低下する。支持部５１〜５７の強度が低下すると、物品が押し込まれていないにも拘わらず、上方に向けて凸状から下方に向けて凸状に変形したり、前後方向における衝撃に弱くなり、緩衝性能が低下する。
これに対して、支持部５１〜５７の延在方向と目方向とを平行にすることで、支持部５１〜５７の強度を高め、意図しない変形を抑制し、緩衝性能を高めることが可能となる。
【００８４】
また、支持部５１〜５７の延在方向（第１方向Ｄ１）と目方向とが平行である場合において、各支持部は、第２方向Ｄ２において、複数の目を含んでいることが望ましい。こうすることで、各支持部の強度をさらに高めることができる。
【００８５】
図１〜図９では、収納箱が複数の内フラップを備える場合について説明した。しかし、この例に限らず、第１の実施形態に係る収納箱は、１つの内フラップのみを備えたものであってもよい。
図１０は、第１の実施形態の変形例に係る収納箱１１０を表す斜視図である。
【００８６】
図１０に表す収納箱１１０では、内フラップ２０には収納部は形成されておらず、内フラップ２２に収納部５０が形成されている。図３〜図４に表す組み立て工程と同様に、内フラップ２２の先端部を、底面３１に向けて折り込み、補助底面３２と接触させることで、収納部５０の上方に物品が収納可能となる。物品を収納部５０に収納した後は、内フラップ２０および係止片２３を折り込み、天面２１で物品を覆うことで、収納箱１１０に物品が収納される。
【００８７】
ただし、収納箱１１０に物品を収納した場合、収納箱１００に物品を収納した場合に比べて、物品の右側方における緩衝距離が短くなる。このため、収納される物品に対する緩衝性能を高めるためには、収納箱が複数の内フラップを有していることが望ましい。
【００８８】
なお、上述した第１の実施形態に係る収納箱１００の展開図は、１枚の紙板から収納箱１００を組み立て可能であれば、図１に表す例に限られない。また、図３〜図８に表した収納箱１００の組み立て手順も、適宜変更可能である。
【００８９】
（追加した第２の実施例）
次に、本発明の第２の実施形態について図面を参照しつつ説明する。なお、各図面中、同様の構成要素には同一の符号を付して詳細な説明は適宜省略する。
【００９０】
図１１は、第２の実施形態に係る収納箱２００の展開図である。
なお、図１１において、破線は折り目を表す。
第２の実施形態に係る収納箱２００は、図１１に表される箱部材２を組み立てることで作製される。箱部材２は、第１の実施形態と同様に１枚の紙板から構成されている。
【００９１】
図１１に表すように、箱部材２は、側面２１１〜２１４、固着片２１５、内フラップ２２０、ガイド片２２１、内フラップ２２２、天面２２３、補助底板２３０、凹底板２３１、補助底板２３２、および凸底板２３３を有する。
【００９２】
以降の第２の実施形態の説明では、方向を表すために、「上方」、「下方」、「左側方」、「右側方」、「前方」、および「後方」を用いる。「上方」は、第２の実施形態に係る収納箱が組み立てられた状態において、凹底板２３１に対して天面２２３が設けられた方向を表し、「下方」は、「上方」と反対の方向を表す。「左側方」は、第２の実施形態に係る収納箱が組み立てられた状態において、内フラップ２２２に対して内フラップ２２０が設けられた方向を表し、「右側方」は、「左側方」と反対の方向を表す。また、「前方」は、第２の実施形態に係る収納箱が組み立てられた状態において、ガイド片２２１に対して天面２２３が設けられた方向を表し、「後方」は、「前方」と反対の方向を表す。
【００９３】
側面２１１〜２１４は、折り目Ａ２〜Ｃ２を介して連なって設けられている。固着片２１５は、側面２１４の側面２１３と反対の側に、折り目Ｄ２を介して側面２１４に連設されている。固着片２１５は、組み立て時に例えば接着剤やホチキス等を用いて側面２１１と固着される。
【００９４】
内フラップ２２０、ガイド片２２１、内フラップ２２２、および天面２２３のそれぞれは、側面２１１〜側面２１４の各々の上端に、折り目Ｅ２〜Ｈ２を介して連設されている。
補助底板２３０、凹底板２３１、補助底板２３２、および凸底板２３３のそれぞれは、側面２１１〜側面２１４の各々の下端に、折り目Ｉ２〜Ｌ２を介して連設されている。
【００９５】
天面２２３の側面２１４と反対側の端部には、折り目Ｍ２を介して差込部２２５が設けられている。
ガイド片２２１には、差込部２２５を差し込めるように、差込孔２２６が形成されている。
ガイド片２２１の側面２１２と反対側の端部には、折り目Ｎ２を介して底面当接部２２７が設けられている。
さらに、ガイド片２２１において、差込孔２２６から側面２１２と反対側方向には、差込孔２２６から連続してガイド孔２２８が形成されている。
【００９６】
凹底板２３１の先端部（側面２１２と反対側の端部）は、切欠き２３１ａが形成され、側面２１２に向かって凹んだ凹形状になっている。
【００９７】
凸底板２３３の先端部（側面２１４と反対側の端部）は、凹底板２３１の切欠き２３１ａに嵌まる凸部２３３ａが形成され、側面２１４と反対側方向に向かって突出した凸形状になっている。また、凸部２３３ａの中央には、側面２１４方向に切り欠かれた切り欠き２３３ｂが形成されている。
【００９８】
補助底板２３０の先端部２３０ａ（側面２１１と反対側の端部）は、側面２１１と反対方向に向かって突出した凸形状になっており、組み立て時に、切欠き２３１ａに嵌まりこむようになっている。
【００９９】
補助底板２３２の先端部２３２ａ（側面２１３と反対側の端部）は、側面２１３と反対方向に向かって突出した凸形状になっており、組み立て時に、切欠き２３１ａに嵌まりこむようになっている。
また、補助底板２３０の長さＬＤ１と補助底板２３２の長さＬＤ２とを足した長さＬＤ１＋ＬＤ２は、側面２１２及び２１４の幅ＷＤ１よりも短く、組み立て時に補助底板２３０と補助底板２３２とが干渉しない。
【０１００】
ここで、収納箱２００の底面は、補助底板２３０、凹底板２３１、補助底板２３２、凸底板２３３、を組み立てることにより形成される。詳細については、後述する。
【０１０１】
内フラップ２２０には、折り目Ｅ２と平行に、折り目Ｏ２およびＰ２が形成されている。内フラップ２２０の中央には、折り目Ｐ２に跨る収納部２５０ａが形成されている。
内フラップ２２２には、折り目Ｇ２と平行に折り目Ｑ２およびＲ２が形成されている。内フラップ２２２の中央には、折り目Ｒ２に跨る収納部２５０ｂが形成されている。
【０１０２】
内フラップ２２０の先端部（側面２１１と反対側の端部）および内フラップ２２２の先端部（側面２１３と反対側の端部）は、幅方向の中央が凹んだ形状となっている。
【０１０３】
次に、図１２を用いて、内フラップ２２０および２２２に形成された収納部２５０ａおよび２５０ｂについて説明する。
図１２は、図１１の内フラップ２２０および２２２を拡大した部分拡大図である。
なお、図１２では、図１１と同様に、折り目を破線で表している。
【０１０４】
図１２（ａ）に表すように、収納部２５０ａは、内フラップ２２０の外縁から離間した位置に形成され、支持部２５１〜２６３を有する。収納部２５０ａの上方に物品を収納する際、これらの支持部２５１〜２６３によって物品が下方から支持される。
【０１０５】
支持部２５１〜２６３は、内フラップ２２０に切れ目Ｃ１１〜Ｃ２４を設けることで形成されている。
【０１０６】
それぞれの切れ目Ｃ１１〜Ｃ２４は、内フラップ２２０の第２方向Ｄ４の端部から距離が上下しながら、第２方向Ｄ４の上下の変極点で湾曲し、第１方向Ｄ３に延びている正弦波状の波形状であり、かつ、第２方向Ｄ４に並んでいる。これによって、支持部２５１〜２６３のそれぞれが、正弦波状の波形状なり、かつ、第２方向Ｄ４に並んで形成されている。ここで、第１方向Ｄ３とは、内フラップ２２０の側面２１１側の端部から反対側の端部に向かう方向のことであり、第２方向Ｄ４は、第１方向Ｄ３と直交する方向である。
なお、第２の実施形態において、波形状とは、第２方向Ｄ４に沿って上下する形状が第１方向Ｄ３に複数回連続して延びているものと定義する。
また、切り目Ｃ１１〜Ｃ２４は、正弦波状の波形状でなく、第２方向Ｄ４に上下する際の変極点が湾曲せず、角になっているようなギザギザの波形状でもよい。
【０１０７】
切れ目Ｃ１１〜Ｃ２４の両端部は、第１方向Ｄ３から第２方向Ｄ４に向けて湾曲しており、第２方向Ｄ４と略平行になっている。これにより、切れ目Ｃ１１〜Ｃ２４の両端部が第２方向Ｄ４にこれ以上裂けることがない。
【０１０８】
内フラップ２２２の構造は、例えば図１２（ｂ）に表すように、第１方向Ｄ３に延びる線分を軸として、内フラップ２２０の構造と対称である。従って、内フラップ２２２の収納部２５０ｂは、内フラップ２２０の収納部２５０ａと同様に、支持部２５１〜２６３、切れ目Ｃ１１〜Ｃ２４、を有する。
【０１０９】
なお、収納箱２００に収納される物品の形状に合わせて、収納部２５０ａと２５０ｂの構造を互いに異ならせることも可能である。例えば、収納部２５０ａと２５０ｂとの間で、支持部の数や形状、支持部の長さ、支持部の幅などが異なっていてもよい。
【０１１０】
（手順）
次に、図１３〜図１５を用いて、収納箱２００の組み立て手順および収納箱２００への物品の収納手順について説明する。
図１３〜図１５は、第２の実施形態に係る収納箱の組み立て手順を表す斜視図である。
【０１１１】
まず、図１１に表す箱部材２に対して、固着片２１５を、側面２１１に張り合わせる。これにより、側面２１１と側面２１３とが対向し、側面２１２と側面２１４とが対向する。
【０１１２】
次に、補助底板２３０、凹底板２３１、補助底板２３２、凸底板２３３を、凹底板２３１、補助底板２３０および２３２、凸底板２３３の順で、側面２１１〜１４の内側に折り込む。そして、凸底板２３３の凸部２３３ａを凹底板２３１の凹部２３１ａに差込み、凸部２３３ａが、収納箱２００の側面２１１〜１４の内側に出てくるように係合させることで、図１３に表すように、収納箱２００の底面２３４が形成される。    
【０１１３】
ここで、納箱２００の底面２３４は、収納箱２００の底面の中央が上方に盛り上がった形状となっている。
具体的には、組み立て時において、凹底板２３１の凹部２３１ａに補助底板２３０の先端部２３０ａおよび補助底板２３２の先端部２３２ａが、凹底板２３１の切欠き２３１ａに嵌まりこみ、凸部２３３ａを差込む際に、凸底板２３３が、凹底板２３１、補助底板２３０および２３２を上方に持ち上げるようにして、凹部２３１ａに凸部２３３ａを係合させるため、収納箱２００の底面２３４の中央が上方に盛り上がり、補助底板２３０の先端部２３０ａ、補助底板２３２の先端部２３２ａ、凹底板２３１の先端が上方に浮き上がっている。
【０１１４】
底面２３４が形成された状態における収納箱２００の内側において補助底板２３０と補助底板２３２との間に隙間２３５が形成されている。また、隙間２３５は前後方向に延びており、隙間２３５の左右方向が重なる位置の前方側において、凸底板２３３の切り欠き２３３ｂが位置するようになっている。
【０１１５】
次に、ガイド片２２１の底面当接部２２７を折り目Ｎ２において下方に曲げ、続けて、ガイド片２２１を折り目Ｆ２において側面２１１〜２１４の内側に折り込み、底面当接部２２７を凸底板２３３と当接させる。
【０１１６】
次に、内フラップ２２２を内側に折り込む。続いて、図１４に表すように、内フラップ２２２の先端部を下方に向けて折り込み、補助底板２３０と補助底板２３２との間に形成された隙間２３５に挿入する。この際、内フラップ２２２は、内フラップ２２２のガイド片２２１側の端部がガイド孔２２８の縁に接触しながら折り込まれる。
【０１１７】
次に、内フラップ２２０を内側に折り込む。続いて、図１５に表すように、内フラップ２２０の先端部を下方に向けて折り込み、補助底板２３０と補助底板２３２との間に形成された隙間２３５に挿入する。この際、内フラップ２２０は、内フラップ２２０のガイド片２２１側の端部がガイド孔２２８の縁に接触しながら折り込まれる。
【０１１８】
内フラップ２２０および２２２の先端部を下方に向けて折り込むことで、収納部２５０ａおよび２５０ｂの前後に形成された折り目Ｐ２およびＱ２においてそれぞれの収納部の支持部２５１〜２６３を、上方に向けて凸の状態から、下方に向けて凸となるように変形させることができるようになる。こうすることで、これらの支持部２５１〜２６３に対して物品を押し込んで収納することができ、物品に対する緩衝性能を高めることができる。
【０１１９】
図１１に表すように内フラップ２２０および２２２の先端部は中央が凹んだ形状なので、底面２３４の盛り上がりに干渉することなく、内フラップの先端部２２０および２２２が底面２３４と確実に接触させることができる。
【０１２０】
収納部２５０ａおよび２５０ｂに物品を収納した後は、天面２２３を内側に折り込む。このとき、天面２２３の差込部２２５を、ガイド片２２１の差込孔２２６に差し込むことで、第１の実施形態と同様に物品が収納された収納箱２００が組み立てられる（図８参照。）。
【０１２１】
収納部２５０ａおよび２５０ｂに収納される物品の大きさや形状は任意である。また、収納部２５０ａおよび２５０ｂの両方を用いて、物品を収納せずに、収納部２５０ａおよび２５０ｂのいずれか一方の収納部を用いて、物品を収納してもよい。
【０１２２】
ここで、図１２、１６，１７を用いて、第２の実施形態による作用および効果について説明する。図１６は、第２の実施形態に係る収納箱の組み立て完成時の状態表す下方視斜視図である。図１７は、図１６の前方視における断面図である。
なお、第１の実施形態による作用及び効果と同様の作用及び効果については、説明は省略する。
【０１２３】
図１２に表すように、第２の実施形態に係る収納箱２００は、収納部２５０ａおよび２５０ｂが、複数の支持部２５１〜２６３を有し、この支持部２５１〜２６３は、切れ目Ｃ１１〜Ｃ２４により、支持部２５１〜２６３のそれぞれが正弦波状の波形状あり、第２方向Ｄ４に並んで形成されている。
そのため、物品を支持している支持部の１つ外側の支持部の端部が、物品の端部に当接するので、物品を緩衝機能を持たせつつ、より安定して収納することが可能である。
【０１２４】
ガイド片２２１が側面２１２の内側に折り込まれることにより、側面２１２の補強部材の役割を果たし、収納箱２００の強度を上げることができる。
また、内フラップ２２０および２２２を隙間２３５に挿入する際、内フラップ２２０および２２２のガイド片２２１側の端部が、ガイド片２２１のガイド孔２２８の縁に接触しながら、内フラップ２２０および２２２が内側に折り込まれることになるため、隙間２３５に内フラップの先端部を円滑に挿入することができ、組み立てを簡単に行うことができる。
【０１２５】
図１６に表すように、底面２３４の中央が盛り上がっており、内フラップ２２０および２２２を隙間２３５に挿入して支持するため、内フラップ２２０および２２２を支持するために内フラップ２２０および２２２の先端部や底面２３４に切欠きや孔を形成する必要がなく、簡単な構造で内フラップ２２０および２２２を支持することができる。
【０１２６】
また、隙間２３５に挿入された内フラップ２２０および２２２は、自身の弾性力により、上方に浮き上がろうとするが、図１７に表すように、内フラップ２２０と内フラップ２２２と互いに接触することで、内フラップ２２０および２２２が上方に浮き上がることを抑制している。
さらに、収納箱２００が組み立てられた状態において、内フラップ２２０の先端部は、補助底板２３０の先端部２３０ａと、切り欠き２３３ｂと、ガイド片２２１のガイド孔２２８の縁、と接触することができる。
同様に、内フラップ２２２の先端部は、補助底板２３２の先端部２３２ａと、切り欠き２３３ｂと、ガイド片２２１のガイド孔２２８の縁、と接触することができる。
つまり、内フラップ２２０および２２２の先端部の一方の面は、内フラップ２２０および２２２の先端部同士でお互いに接触し、他方の面は、補助底板２３０の先端部２３０ａと補助底板２３２の先端部２３２ａのいずれか一方と、切り欠き２３３ｂと、ガイド片２２１のガイド孔２２８の縁と、の前後方向における３箇所で接触できるため、物品を収納した際や衝撃が加えられた際に、内フラップ２２０および２２２の左右方向へのずれが抑制され、物品をより安定して収納することができる。
【０１２７】
以上、本発明の第１および第２の実施形態について説明した。しかし、本発明はこれらの記述に限定されるものではない。前述の第１および第２の実施の形態に関して、当業者が適宜設計変更を加えたものも、本発明の特徴を備えている限り、本発明の範囲に包含される。例えば、箱部材１や収納箱１００が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１２８】
１ 箱部材、  ２ 箱部材、  １１〜１４ 側面、  １５ 固着片、  １５ａ〜１５ｃ 切片、  ２０ 内フラップ、  ２１ 天面、  ２２ 内フラップ、  ２３ 係止片、  ２５ 差込部、  ２６ 孔、  ２７、２８ 係合部、  ３０ 補助底面、  ３１ 底面、  ３２ 補助底面、  ３３ 係止片、  ３５ 差込部、  ３６ 孔、  ３７ 係合部、  ５０、５０ａ、５０ｂ 収納部、  ５１〜５７ 支持部、  １００、１１０ 収納箱、  ２００ 収納箱、  ２１１〜２１４ 側面、  ２１５ 固着片、  ２２０ 内フラップ、  ２２１ ガイド片、    ２２２ 内フラップ、  ２２３ 天面、  ２２５ 差込部、  ２２６ 差込孔、  ２２７ 底面当接部、  ２２８ ガイド孔、  ２３０ 補助底板、  ２３０ａ 先端部、  ２３１ 凹底板、  ２３１ａ 切欠き、  ２３２ 補助底板、  ２３２ａ 先端部、  ２３３ 凸底板、  ２３３ａ、  凸部、  ２３３ｂ 切欠き、  ２３５ 差込部、  ２５０ａ、２５０ｂ 収納部、  ２５１〜２６３ 支持部、  Ａ〜Ｓ 折り目、  Ｃ１〜Ｃ７、Ｃ１０〜Ｃ１３ 切れ目、  Ｄ１ 第１方向、  Ｄ２ 第２方向、  Ｓ１〜Ｓ３ 物品、Ａ２〜Ｎ２ 折り目、  Ｃ１１〜Ｃ２４ 切れ目、  Ｄ３ 第１方向、  Ｄ４ 第２方向、  ＬＤ１ 長さ、  ＬＤ２ 長さ、  ＷＤ１ 幅、  ＷＤ２ 幅
【図１】
0006270079.tif 000002
【図２】
0006270079.tif 000003
【図３】
0006270079.tif 000004
【図４】
0006270079.tif 000005
【図５】
0006270079.tif 000006
【図６】
0006270079.tif 000007
【図７】
0006270079.tif 000008
【図８】
0006270079.tif 000009
【図９】
0006270079.tif 000010
【図１０】
0006270079.tif 000011
【図１１】
0006270079.tif 000012
【図１２】
0006270079.tif 000013
【図１３】
0006270079.tif 000014
【図１４】
0006270079.tif 000015
【図１５】
0006270079.tif 000016
【図１６】
0006270079.tif 000017
【図１７】
0006270079.tif 000018